(57)【要約】【課題】  特定の情報に関する履歴情報を管理する際に、頻繁な情報変更に柔軟且つ容易に対応することができる世代情報管理システム及び世代情報識別コードを提供する。【解決手段】  特定の情報に関する履歴を所定の世代に亘る世代情報として管理するための世代情報管理システム１であって、少なくとも情報の種別を識別する基本情報部及び情報の発生時期を示す世代管理部を含むコード体系を生成するコード生成手段１１と、生成されたコード体系を時間軸に従って管理するコード情報管理手段１２と、基本情報部の種別に基づいてコード体系を格納するデータベース１００と、データベース１００に格納されているコード体系を検索するコード検索手段１３とを具備する。【選択図】        図１
2009020599.tif 000002
【特許請求の範囲】
【請求項１】
特定の情報に関する履歴を所定の世代に亘る世代情報として管理するための世代情報管理システムであって、
少なくとも情報の種別を識別する基本情報部及び情報の発生時期を示す世代管理部を含むコード体系を生成するコード生成手段と、
生成されたコード体系を時間軸に従って管理するコード情報管理手段と、
基本情報部の種別に基づいてコード体系を格納するデータベースと、
前記データベースに格納されているコード体系を検索するコード検索手段とを具備することを特徴とする世代情報管理システム。
【請求項２】
請求項１において、前記コード情報管理手段は、コード体系の世代管理部に示された発生時期に基づいて基本情報部に含まれる情報を変更履歴として管理することを特徴とする世代情報管理システム。
【請求項３】
請求項１又は２において、前記データベースは、コード体系を所定の区分に従ったコード情報として蓄積するコード情報データベース、及びコード体系の世代管理部に含まれる日時情報を前記コード情報と対応付けて管理する世代情報データベースを具備することを特徴とする世代情報管理システム。
【請求項４】
請求項１〜３の何れかにおいて、前記コード情報管理手段は、少なくともコード体系を登録、保存、及び削除する機能を有することを特徴とする世代情報管理システム。
【請求項５】
請求項１〜４の何れかにおいて、前記コード体系は、電力計を識別するために電力計単位に付与されるコード情報であり、当該コード体系に含まれる世代管理部には、電力計の使用対象を特定する履歴が含まれていることを特徴とする世代情報管理システム。
【請求項６】
特定の情報に関する変更履歴を世代として識別するための世代情報識別コードであって、
少なくとも情報の種別を識別する基本情報部及び情報の発生時期を示す世代管理部を含むコード体系を特徴とする世代情報識別コード。
【発明の詳細な説明】
【技術分野】
【０００１】
本発明は、特定の情報に関する履歴を所定の世代に亘る世代情報として管理するための世代情報管理システム、及び特定の情報に関する変更履歴を世代として識別するための世代情報識別コードに関する。
【背景技術】
【０００２】
一般的に、日常の生活や業務などで発生する特定の情報に関する履歴情報の管理にあたっては、様々な工夫が必要とされている。
【０００３】
例えば、電力会社で遂行される業務を例に挙げてみる。通常、電力の使用量を測定するための電力計は世帯単位で設置されており、顧客番号が付与された状態で管理されている。このため、例えば、アパートやマンションなどの集合住宅に設置されている電力計は、一旦取り付けられると取り外さない限り固定の顧客番号で管理されることとなり、その電力計で測定された使用量は、住人の変化に関係なく固定の顧客番号と関連付けられて管理されていた。すなわち、電力の使用量が使用対象者（世帯主）の変更に関係なく固定の顧客番号で管理されるため、使用対象者毎の使用期間が把握しづらく、移転後の料金請求時などに不都合が生じる場合があった。このように、電力会社において、頻繁な情報変更を伴う顧客情報などを取り扱うような業務では、使用対象者（世帯主）の履歴情報を的確に管理する体制が必要であった。
【０００４】
そこで、従来においては、履歴情報の管理にかかる技術として、例えば、計算機プログラムの更新履歴を世代として管理する際に、正常と異常のある世代を識別するための技術が提案されている（特許文献１参照）。
【０００５】
しかしながら、特許文献１にかかる技術は、プログラムという特殊な情報を管理するためのものであるため、頻繁な情報変更を伴う電力計の管理を対象とした業務などに適用することは困難である。
【０００６】
【特許文献１】特開平０５−１４３４１４号公報
【発明の開示】
【発明が解決しようとする課題】
【０００７】
本発明はこのような事情に鑑み、特定の情報に関する履歴情報を管理する際に、頻繁な情報変更に柔軟且つ容易に対応することができる世代情報管理システム及び世代情報識別コードを提供することを課題とする。
【課題を解決するための手段】
【０００８】
上記課題を解決する本発明の第１の態様は、特定の情報に関する履歴を所定の世代に亘る世代情報として管理するための世代情報管理システムであって、少なくとも情報の種別を識別する基本情報部及び情報の発生時期を示す世代管理部を含むコード体系を生成するコード生成手段と、生成されたコード体系を時間軸に従って管理するコード情報管理手段と、基本情報部の種別に基づいてコード体系を格納するデータベースと、前記データベースに格納されているコード体系を検索するコード検索手段とを具備することを特徴とする世代情報管理システムにある。
【０００９】
かかる第１の態様では、情報の種別を識別する基本情報部及び情報の発生時期を示す世代管理部を含むコード体系が生成され、生成されたコード体系は、時間軸に従って管理され、基本情報部の種別に基づいてデータベースに格納されて検索される。これにより、特定の情報を発生時期が含まれるコード体系としてデータベースで管理することができるため、頻繁な情報変更があった場合でも柔軟且つ容易に対応することが可能となる。
【００１０】
本発明の第２の態様は、第１の態様において、前記コード情報管理手段は、コード体系の世代管理部に示された発生時期に基づいて基本情報部に含まれる情報を変更履歴として管理することを特徴とする世代情報管理システムにある。
【００１１】
かかる第２の態様では、コード体系の世代管理部に示された発生時期に基づいて基本情報部に含まれる情報が変更履歴として管理される。これにより、特定の情報に関する履歴情報を容易に管理することができる。
【００１２】
本発明の第３の態様は、第１又は２の態様において、前記データベースは、コード体系を所定の区分に従ったコード情報として蓄積するコード情報データベース、及びコード体系の世代管理部に含まれる日時情報を前記コード情報と対応付けて管理する世代情報データベースを具備することを特徴とする世代情報管理システムにある。
【００１３】
かかる第３の態様では、コード体系が所定の区分に従ったコード情報として管理されると共に、コード体系の世代管理部に含まれる日時情報がコード情報と対応付けられて管理される。これにより、特定の情報に関する履歴情報を柔軟に効率良く管理することができる。
【００１４】
本発明の第４の態様は、第１〜３の何れかの態様において、前記コード情報管理手段は、少なくともコード体系を登録、保存、及び削除する機能を有することを特徴とする世代情報管理システムにある。
【００１５】
かかる第４の態様では、コード体系が登録、保存、削除される。これにより、特定の情報に対する変更にも、柔軟且つ容易に対応することができる。
【００１６】
本発明の第５の態様は、第１〜４の何れかの態様において、前記コード体系は、電力計を識別するために電力計単位に付与されるコード情報であり、当該コード体系に含まれる世代管理部には、電力計の使用対象を特定する履歴が含まれていることを特徴とする世代情報管理システムにある。
【００１７】
かかる第５の態様では、電力計を識別するために電力計単位に付与されるコード情報がコード体系として管理され、当該コード体系に含まれる世代管理部には、電力計の使用対象を特定する履歴が含まれている。これにより、例えば、電力会社の業務で発生した情報がその世代のものであるかを容易に特定することができると共に、情報に変更があった場合でも、履歴情報として柔軟且つ容易に管理することができる。
【００１８】
本発明の第６の態様は、特定の情報に関する変更履歴を世代として識別するための世代情報識別コードであって、少なくとも情報の種別を識別する基本情報部及び情報の発生時期を示す世代管理部を含むコード体系を特徴とする世代情報識別コードにある。
【００１９】
かかる第６の態様では、特定の情報が、少なくとも情報の種別を識別する基本情報部及び情報の発生時期を示す世代管理部を含むコード体系として管理される。これにより、特定の情報を変更履歴を含めた情報として、柔軟且つ容易に管理することができる。
【発明の効果】
【００２０】
本発明によれば、特定の情報に発生時期を示す世代管理部を含ませたコード体系として管理しているため、特定の情報に関する履歴情報を管理する際に、頻繁な情報変更に柔軟且つ容易に対応することができる世代情報管理システム及び世代情報識別コードを提供することが可能となる。
【発明を実施するための最良の形態】
【００２１】
以下、図面を用いて本発明を実施するための最良の形態について説明する。なお、本実施形態の説明は例示であり、本発明の構成は以下の説明に限定されない。
【００２２】
本実施形態では、特定の情報に関する履歴を所定の世代に亘る世代情報として管理する際に、例えば、電力会社の業務において、電力計の使用対象者（世帯主）などの頻繁な情報変更に柔軟且つ容易に対応することができるシステムを実現するものである。これにより、使用対象者毎の使用期間を把握することが容易となり、例えば、移転時の料金請求などを確実に処理することも可能となる。
【００２３】
図１は、本発明の一実施形態に係る世代情報管理システムのシステム構成を示す図である。なお、本実施形態では、電力会社の業務を遂行する場合のシステムを例示している。
【００２４】
図示するように、本実施形態の世代情報管理システム１は、コード生成手段１１、コード情報管理手段１２、コード検索手段１３、及びデータベース１００（「ＤＢ」と図示する）を含み構成されている。
【００２５】
コード生成手段１１は、少なくとも情報の種別を識別する基本情報部及び情報の発生時期を示す世代管理部を含むコード体系を生成する。ここでいう発生時期とは、情報が発生した所定の期間（例えば、開始から終了までの期間）であってもよいし、情報が発生した所定の日時（例えば、開始又は終了の何れか一方の日時）であってもよい。このようなコード体系の概略構成例を図２に示す。図２に示す例では、情報を識別するための基本情報を格納する基本フィールドを有する基本情報部、情報の発生時期を格納する拡張フィールドを有する世代管理部が示されている。
【００２６】
本実施形態では、コード体系は、電力計を識別するために電力計単位に付与されるコード情報であり、当該コード体系に含まれる世代管理部には、電力計の使用対象を特定する履歴が含まれている。これにより、電力計の使用対象者（世帯主）を所定の世代に亘って把握することが容易になると共に、使用対象者（世帯主）の変化情報を柔軟に管理することが可能となる。
【００２７】
コード情報管理手段１２は、生成されたコード体系を時間軸に従って管理する。具体的に、コード情報管理手段１２は、コード体系の世代管理部に示された発生時期に基づいて基本情報部に含まれる情報を変更履歴として管理する。さらに、コード情報管理手段１２は、少なくともコード体系を登録、保存、及び削除する機能を有する。このような機能は、例えば、データベース１００で管理されている情報をメンテナンスする場合などに用いればよい。
【００２８】
コード検索手段１３は、後述するデータベース１００に格納されているコード体系を検索する。具体的には、基本情報部又は世代管理部に含まれる情報をキーにして、該当するコード体系にかかる情報を抽出する。
【００２９】
ここで、データベース１００とは、基本情報部の種別に基づいてコード体系を格納するものである。ここでいう基本情報部の種別とは、電力会社の業務を遂行する上で必要な情報の分類であり、本実施形態では、図３に示すように、顧客情報の履歴を管理する顧客情報管理コード、地図情報の履歴を管理する地図管理コード、サービス情報の履歴を管理するサービス管理コードなどが挙げられる。
【００３０】
具体的に、上述のようなデータベース１００は、コード情報データベース１１０、及び世代情報データベース１２０から構成されている。
【００３１】
コード情報データベース１１０には、コード体系が所定の区分に従ったコード情報として蓄積されている。例えば、図４（ａ）に示す例では、コード情報として顧客情報管理コードが管理されており、顧客情報管理コード毎に、客先コード、電力計番号、住所、氏名、電話番号などが対応付けられたテーブル１１００として管理されている。
【００３２】
世代情報データベース１２０には、コード体系の世代管理部に含まれる日時情報がコード情報と対応付けて管理されている。例えば、図４（ｂ）に示す例では、図４（ａ）に示された顧客情報管理コードに関する日時情報として、開始日時及び終了日時がテーブル１２００により管理されている。
【００３３】
次に、世代情報管理システムの動作手順について説明する。図５は、本発明の一実施形態に係る世代情報管理システムの動作手順の一例を説明する図である。
【００３４】
図示するように、世代情報管理システム１に情報が入力されると、その入力パラメータに従って、コード生成手段１１は、コード体系を生成する。ここで生成されたコード体系は、コード情報管理手段１２により、所定の区分に区分けされる。
【００３５】
区分けされたコード体系は、コード情報としてコード情報データベース１１０に格納される。一方で、コード体系に含まれる世代管理部は、当該世代管理部に含まれる日時情報がコード情報と対応付けられて世代情報データベース１２０に格納される。
【００３６】
コード情報データベース１１０及び世代情報データベース１２０に格納された情報は、コード検索手段１３により検索された際に出力される。また、これらデータベース１００及び１２０に格納された情報は、例えば、既設のコード情報をそのまま利用する場合や、既設のコード情報を利用して新規にコード体系を生成する場合などに適宜出力されるようにしてもよい。
【００３７】
（他の実施形態）
上述した実施形態では、電力会社の顧客情報を管理する場合を想定しており、コード体系を所定の区分に従って分類した場合に、コード情報として顧客情報管理コードを例示しているが、これに限定されず、例えば、組織情報の履歴を管理するための組織管理コード、商品情報の履歴を管理するための商品管理コード、書籍・雑誌情報の履歴を管理するための書籍・雑誌管理コードなどを用いたシステム構成としてもよい。すなわち、ある情報に対して、時系列的に内容の変化を管理する場合のシステムとして適用すればよい。
【００３８】
例えば、組織管理コードを適用する場合には、図６に示すようなデータ構成にすればよい。図６（ａ）に示す例では、コード情報として組織管理コードが管理されており、組織管理コード毎に、客先コード、大名称、中名称、小名称、付属などが対応付けられたテーブル１１００ａとして管理されている。図６（ｂ）に示す例では、図６（ａ）に示された組織管理コードに関する日時情報として、開始日時及び終了日時がテーブル１２００ａにより管理されている。
【図面の簡単な説明】
【００３９】
【図１】本発明の一実施形態に係る世代情報管理システムのシステム構成を示す図である。
【図２】本発明の一実施形態に係るコード体系の概略構成を説明する図である。
【図３】本発明の一実施形態に係る基本情報部の種別の一例を示す図である。
【図４】本発明の一実施形態に係るデータベースの構成例を示す図である。
【図５】本発明の一実施形態に係る世代情報管理システムの動作手順の一例を説明する図である。
【図６】本発明の一実施形態に係るデータベースの構成例を示す図である。
【符号の説明】
【００４０】
１１  コード生成手段
１２  コード情報管理手段
１３  コード検索手段
１１０  コード情報データベース
１２０  世代情報データベース
【図１】
2009020599.tif 000003
【図２】
2009020599.tif 000004
【図３】
2009020599.tif 000005
【図４】
2009020599.tif 000006
【図５】
2009020599.tif 000007
【図６】
2009020599.tif 000008